(57)【要約】【課題】溶接作業を省略化することにより、製造工程を簡略化することができ、組立作業を容易にするとともに、塗装作業が容易であって、塗装斑も生じることなく、塗装の仕上がりを良好にすることができ、かつ運送費の削減化を図ることができるようにする。【解決手段】底板１５の左右側縁１５ｂ，１５ｂならびに後縁１５ｃに、外向き水平方向に開口する挿入溝２６，３１をそれぞれ形成する。平面視前向きコ字状に互いに連設して形成した左右の側面板１３，１３と後面板１４の下端に、前記挿入溝２６，３１に挿入する内向き水平方向に延びる挿入片２１，２２をそれぞれ形成する。これらの挿入片２１，２２を、挿入溝２６，３１にそれぞれ挿入した状態をもって、左右の側面板１３，１３ならびに底板１５の各前端１３ａ，１５ａを、前記前面板１２の後面に突合せ当接させて、ビス３２により互いに固定して組み付ける。【選択図】  図７
2010075414.tif 000002
【特許請求の範囲】
【請求項１】
前面板と、左右１対の側面板と、後面板と、底板とを具備した物品収納庫の組立構造であって、
底板の左右側縁ならびに後縁に、外向き水平方向に開口する挿入溝をそれぞれ形成するとともに、平面視前向きコ字状に互いに連設して形成した左右の側面板と後面板の下端に、前記挿入溝に挿入する内向き水平方向に延びる挿入片をそれぞれ形成し、かつこれらの挿入片を前記挿入溝にそれぞれ挿入した状態をもって、左右の側面板ならびに底板の各前端を、前記前面板の後面に突合せ当接させて、固定手段により互いに固定して組み付けたことを特徴とする物品収納庫の組立構造。
【請求項２】
挿入溝を、底板の下面の左右側縁ならびに後縁に沿って、外縁側が底板の下面から下方に向けて離間しうるように外向き水平方向に段状に折曲された当板を配設することにより形成した請求項１記載の物品収納庫の組立構造。
【請求項３】
当板の外端縁を、さらに下方に向けて折曲したものである請求項２記載の物品収納庫の組立構造。
【請求項４】
物品収納庫が、上部に手掛け部を有する前面板と、左右１対の側面板と、後面板と、底板と、この底板の下面に設けられた前後ならびに左右１対のキャスターとを備えた、上面が開口する箱状のストッカーである請求項１〜３のいずれかに記載の物品収納庫の組立構造。
【請求項５】
底板の下面に、左右方向に延びる前後１対の断面逆ハット型形状の強度部材を設けるとともに、この強度部材の下面に、左右１対のキャスターをそれぞれ着脱可能に取り付けた請求項１〜４のいずれかに記載の物品収納庫の組立構造。
【請求項６】
後部強度部材の後端縁に、底板における下面の後縁に沿って配設される当板を、外方に向けて一体に延設した請求項５記載の物品収納庫の組立構造。
【発明の詳細な説明】
【技術分野】
【０００１】
本発明は、商品陳列棚などの商品陳列什器の下部空間に引出し可能に格納されるストッカーなどの物品収納庫の組立構造に関する。
【背景技術】
【０００２】
従来の商品陳列棚におけるストッカーには、引出し式としたもの(例えば特許文献１参照)や、底板の下面にキャスターを設けることにより、床面上に自由に移動できるようにしたもの(例えば特許文献２参照)等がある。
【０００３】
このようなストッカーは、前面板と、左右１対の側面板と、後面板と、底板との各構成部材によって、上面が開口する箱状の組立構造を有している。
【０００４】
しかし、特許文献１、２記載されたストッカーでは、工場において、各構成部材を組み立てて、互いに溶接することにより一体化しているため、その製造工程が煩雑となるばかりでなく、箱状に組み立てて一体化したものに、塗装処理を施していることから、塗装作業が難しく、塗装斑が生じ易い。
また、工場で組み立てた製品をそのまま荷造りして、現場に搬送していることから、一度に大量に搬送することができないため、運送費も嵩むという問題があった。
【特許文献１】特開２００７−１３０３６２号公報
【特許文献２】特開２０００−２０１７８２号公報
【発明の開示】
【発明が解決しようとする課題】
【０００５】
本発明は、前記の現状に鑑み、溶接作業を省略化することにより、製造工程を簡略化することができ、組立作業を容易にするとともに、塗装作業が容易であって、塗装斑も生じることなく、塗装の仕上がりを良好にすることができ、かつ運送費の削減化を図ることができるようにした物品収納庫の組立構造を提供することを目的としている。
【課題を解決するための手段】
【０００６】
上記課題は、「特許請求の範囲」の欄における各請求項に記載するように、次のようにな構成からなる発明によって解決される。
【０００７】
(１)  前面板と、左右１対の側面板と、後面板と、底板とを具備した物品収納庫の組立構造であって、底板の左右側縁ならびに後縁に、外向き水平方向に開口する挿入溝をそれぞれ形成するとともに、平面視前向きコ字状に互いに連設して形成した左右の側面板と後面板の下端に、前記挿入溝に挿入する内向き水平方向に延びる挿入片をそれぞれ形成し、かつこれらの挿入片を前記挿入溝にそれぞれ挿入した状態をもって、左右の側面板ならびに底板の各前端を、前記前面板の後面に突合せ当接させて、固定手段により互いに固定して組み付ける。
【０００８】
（２）  上記（１）項において、挿入溝を、底板の下面の左右側縁ならびに後縁に沿って、外縁側が底板の下面から下方に向けて離間しうるように外向き水平方向に段状に折曲された当板を配設することにより形成する。
【０００９】
（３）  上記（２）項において、当板の外端縁を、さらに下方に向けて折曲したものである。
【００１０】
（４）  上記（１）〜（３）項のいずれかにおいて、物品収納庫が、上部に手掛け部を有する前面板と、左右１対の側面板と、後面板と、底板と、この底板の下面に設けられた前後ならびに左右１対のキャスターとを備えた、上面が開口する箱状のストッカーである。
【００１１】
（５）  上記（１）〜（４）項のいずれかにおいて、底板の下面に、左右方向に延びる前後１対の断面逆ハット型形状の強度部材を設けるとともに、この強度部材の下面に、左右１対のキャスターをそれぞれ着脱可能に取り付ける。
【００１２】
（６）  上記（５）項において、後部強度部材の後端縁に、底板における下面の後縁に沿って配設される当板を、外方に向けて一体に延設する。
【発明の効果】
【００１３】
本発明によると、次のような効果を奏することができる。
請求項１記載の発明によると、底板の左右側縁ならびに後縁に、外向き水平方向に開口する挿入溝をそれぞれ形成するとともに、平面視前向きコ字状に互いに連設して形成した左右の側面板と後面板の下端に、挿入溝に挿入する内向き水平方向に延びる挿入片をそれぞれ形成し、かつこれらの挿入片を挿入溝にそれぞれ挿入した状態をもって、左右の側面板ならびに底板の各前端を、前面板の後面に突合せ当接させて、固定手段により互いに固定して組み付けてあるので、溶接作業を省略化することができるため、製造工程を簡略化することができ、組立作業が容易となる。
また、各構成部材の組立て後に塗装を施すのではなく、組立て前に組立部品単位で塗装を施すことができるため、塗装が容易となり、塗装りの仕上がりを良好にすることができる。
また、各組立構成部材を溶接することなしに組み立てるようにしてあるため、部品単位で出荷して、現場において組み立てるようにすることにより、各構成部材毎の大量搬送が可能になり、運送費の削減化を図ることができる。
【００１４】
請求項２記載の発明によると、挿入溝を、底板の下面の左右側縁ならびに後縁に沿って、外縁側が底板の下面から下方に向けて離間しうるように外向き水平方向に段状に折曲された当板を配設することにより形成してあるので、底板を補強することができるとともに、平面視前向きコ字状に互いに連設して形成した左右の側面板と後面板を、溶接することなしに、底板の左右側縁ならびに後縁に容易に組み付けることができる。
【００１５】
請求項３記載の発明によると、当板の外端縁を、さらに下方に向けて折曲したものであるので、底板を、さらに補強することができるとともに、左右の側面板と後面板の挿入片を、底板の挿入溝に挿入する際に、当板の折曲部分で案内することができ、左右の側面板ならびに後面板と底板との組み付けが容易に行える。
【００１６】
請求項４記載の発明によると、物品収納庫が、上部に手掛け部を有する前面板と、左右１対の側面板と、後面板と、底板と、この底板の下面に設けられた前後ならびに左右１対のキャスターとを備えた、上面が開口する箱状のストッカーであるので、物品の収納や保管、あるいは搬送などの用途に応じて効果的に利用することができる。
【００１７】
請求項５記載の発明によると、底板の下面に、左右方向に延びる前後１対の断面逆ハット型形状の強度部材を設けるとともに、この強度部材の下面に、左右１対のキャスターをそれぞれ着脱可能に取り付けてあるので、底板の補強とともに、現場でのキャスターに着脱を容易に行うことができる。
【００１８】
請求項６記載の発明によると、後部強度部材の後端縁に、底板における下面の後縁に沿って配設される当板を、外方に向けて一体に延設してあるので、底板の強度を、より向上させることができる。
【発明を実施するための最良の形態】
【００１９】
以下、本発明の実施形態を、添付図面を参照して説明する。  
図１は、本発明における一実施形態の組立構造を備えるストッカーの商品陳列棚からの引出し状態を示す斜視図、図２は、ストッカーを下から見上げた状態を示す斜視図、図３は、図１におけるIII−III線の拡大断面図、図４は、前面板を後方から見た分解斜視図、図５は、互いに連設される側面板と後面板との展開状態を後方から見た斜視図、図６は、底板を下から見上げた分解斜視図、図７は、ストッカーを下から見上げた状態を示す分解斜視図、図８は、前面板と側面板との取付状態および底板へのキャスターの取付状態を示す要部拡大分解斜視図、図９は、図２のIX−IX線における側面板と底板との挿入状態を一部分解して示す要部拡大断面図、図１０は、図２のＸ−Ｘ線における後面板と底板との挿入状態を一部分解して示す要部拡大断面図、図１１は、側面板と後面板との折曲角部における要部拡大横断面図、図１２は、コーナー部材を部分的に拡大して示す斜視図である。
【００２０】
図１に示すように、商品陳列棚１は、前後に背中合わせで床面上に載置された前後１対の架台２，２と、これら架台２，２の前後方向における中央部の左右外側面に形成した上下方向に延びる切欠溝２ａにそれぞれ組み付けられて、上向きに立設された左右１対の支柱３，３と、これら左右の支柱３，３の上端部間を連結する横連結杆４とを有する。
【００２１】
各支柱３の前後両面には、上下方向に等間隔をもって左右２列に配列した複数の係止孔５がそれぞれ設けられており、これら左右の支柱３，３における同一高さ位置の係止孔５，５には、左右１対の棚板ブラケット６，６が、その後端をフック掛けすることにより、装着されているとともに、この左右の棚板ブラケット６，６間上に棚板７を載置することにより、複数の棚板７が上下多段状に取り付けられている。
【００２２】
架台２は、前後方向に開口する下向きコ字状の箱体８によって、後記するストッカー１０を引出し可能に格納する下部空間９が形成されている。
【００２３】
ストッカー１０は、図２および図３に示すように、上面が開口する箱状をなすとともに、上部に手掛け部１１を有する前面板１２と、左右１対の側面板１３，１３と、後面板１４と、底板１５と、底板１５における下面の前後にそれぞれ着脱可能に取り付けられた左右１対のキャスター１６，１６とを備えている。
【００２４】
前面板１２は、図４に示すように、外周縁を内側後方に向けて水平に折曲させた一枚の鋼板によって形成されており、その上端部における水平折曲片の端縁をさらに垂下させ、かつ外側前方に向けて水平に折曲することにより、矩形状の断面を有する前記手掛け部１１が形成されるようになっている。
【００２５】
前面板１２における後面の下半部には、上下方向に沿って左右１対の固定板１７，１７が溶接によって固定されており、この固定板１７の左右に互いに向かい合う内側端縁を、後方に向けて平面視Ｌ字状に折曲することにより、左右の側面板１３，１３の前端面がそれぞれ当接される突当て面１８を形成するとともに、この突当て面１８の上下位置には、ねじ孔１９，１９が設けられている。
【００２６】
左右１対の側面板１３，１３と後面板１４とは、図５に示すように、展開状態において、１枚の鋼板によって一体に形成されており、各面板１３，１４のそれぞれの境界位置に、複数のスリット状の抜き孔２０を上下方向に沿って列設することにより、図５に想像線で示すように、  左右の側面板１３，１３と後面板１４とが、各々の抜き孔２０に沿って平面視前向きコ字状に容易に折曲可能となるように構成されている。
【００２７】
左右の側面板１３，１３と後面板１４の下端には、内向き水平方向に延びる挿入片２１，２２が、それぞれ形成されているとともに、各面板１３，１４の上端は、外向き水平方向に折曲され、かつ前端を外向きに折曲して形成された側面板１３の前端面１３ａには、前面板１２における後面の固定板１７の突当て面１８に設けた上下のねじ孔１９，１９に整合する上下に縦長の長孔２３，２３が設けられている。
【００２８】
底板１５は、図６に示すように、一枚の鋼板によって形成されており、その前端縁１５ａが側面視下向きＬ字状に折曲されている。
底板１５の下面には、その左右側縁１５ｂ，１５ｂに沿って、左右１対の当板２４，２４が、溶接することにより配設されているとともに、図９、図１０に示すように、これらの当板２４の外縁２５側を、底板１５の下面から下方に向けて離間しうるように外向き水平方向に段状に折曲することにより、左右の側面板１３の下端に形成した前記挿入片２１が挿入される挿入溝２６が、外向き水平方向に開口させて設けられている。
当板２４における外縁２５側の端縁２５ａは、さらに下方に向けて折曲させてある。
【００２９】
底板１５の下面には、左右方向に延びる前後１対の断面逆ハット型形状の強度部材２７，２８が溶接によって固定されているとともに、後部強度部材２８の後端縁２８ａには、底板１５における下面の後縁１５ｃに沿って配設される当板２９が、外方に向けて一体に延設されている。
【００３０】
当板２９は、前記左右の当板２４と同様に、その外縁３０側を、底板１５の下面から下方に向けて離間しうるように、外向き水平方向に段状に折曲することにより、前記後面板１４の下端に形成した挿入片２２が挿入される挿入溝３１が、外向き水平方向に開口させてある。
当板２９における外縁３０側の端縁３０ａは、前記当板２４と同様に、さらに下方に向けて折曲させてある。
【００３１】
本発明のストッカー１０を組み立てるには、図７および図８に示すように、前面板１２と、左右１対の側面板１３，１３と、後面板１４と、底板１５とを、それぞれ個別に塗装処理した後に、工場または現場において、まず、互いに連設した左右の側面板１３，１３と後面板１４とを平面視前向きコ字状に折曲する。
【００３２】
次いで、底板１５の左右側縁１５ｂ，１５ｂに形成した外向き水平方向に開口する挿入溝２６に、左右の側面板１３，１３の下端に形成した内向き水平方向に延びる挿入片２１を、後方から前方に向けてスライドさせながら挿入するとともに（図９参照）、底板１５の後縁１５ｃに形成した外向き水平方向に開口する挿入溝３１に、後面板１４の下端に形成した内向き水平方向に延びる挿入片２２を挿入することにより（図１０参照）、左右の側面板１３，１３および後面板１４と底板１５とを組み立てる。
【００３３】
次いで、図８に示すように、左右の側面板１３，１３の前端面１３ａを、前面板１２における後面の左右の固定板１７，１７の突当て面１８に突合せ当接させるとともに、底板１５の前端１５ａを、前面板１２の後面下部に突合せ当接させ、かつ固定板１７のねじ孔１９と側面板１３の長孔２３との整合位置において、ビス３２をもって、前面板１２と左右の側面板１３，１３とを４点で互いに締結し固定することにより、後面板１４と底板１５とを含むストッカー１０の全体が組み立てられる。
【００３４】
組立後の左右の側面板１３，１３と後面板１４との折曲角部には、図１１に示すように、平面視断面三角形状の合成樹脂製のコーナー部材３３が上下方向に沿って設けられているおり、前記折曲角部を内側から隠蔽しうるようになっている。
【００３５】
コーナー部材３３には、図１２に示すように、前記折曲角部に形成した複数の抜き孔２０のうちの、選択した所望の抜き孔２０に対応する複数の突起３４Ａ，３４Ｂ，３４Ｃが、上下方向に適宜の間隔をもって、それぞれ突設されている。
突起３４Ａは、前記抜き孔２０に位置決めようとして挿入可能になっているとともに、他の突起３４Ｂ，３４Ｃには、左右逆方向に突出させた逆止爪３５，３６がそれぞれ形成されており、前記抜き孔２０への挿入状態において、逆止爪３５，３６を係着させることにより、コーナー部材３３の抜けが防止される。
【００３６】
左右１対のキャスター１６，１６は、底板１５における下面の左右方向に配設した前後の強度部材２７，２８の下面にそれぞれ設けられている。
【００３７】
各キャスター１６は、図８から図１０に示すように、転動ローラ３７と、この転動ローラ３７の回転軸３８を軸支する下向きコ字状の軸支部材３９とより構成されているとともに、この軸支部材３９の後端３９ａを、強度部材２７，２８の下面にポケット状に切り起こして形成した切起部４０に挿入して係止し、かつその前端３９ｂを、ボルト４１をもって締結することにより、前後の強度部材２７，２８にそれぞれ着脱可能に取り付けられている。
【図面の簡単な説明】
【００３８】
【図１】本発明における一実施形態の組立構造を備えるストッカーの商品陳列棚からの引出し状態を示す斜視図である。
【図２】ストッカーを下から見上げた状態を示す斜視図である。
【図３】図１におけるIII−III線の拡大断面図である。
【図４】前面板を後方から見た分解斜視図である。
【図５】互いに連設される側面板と後面板との展開状態を後方から見た斜視図である。
【図６】底板を下から見上げた分解斜視図である。
【図７】ストッカーを下から見上げた状態を示す分解斜視図である。
【図８】前面板と側面板との取付状態および底板へのキャスターの取付状態を示す要部拡大分解斜視図である。
【図９】図２のIX−IX線における側面板と底板との挿入状態を一部分解して示す要部拡大断面図である。
【図１０】図２のＸ−Ｘ線における後面板と底板との挿入状態を一部分解して示す要部拡大断面図である。
【図１１】側面板と後面板との折曲角部における要部拡大横断面図である。
【図１２】コーナー部材を部分的に拡大して示す斜視図である。
【符号の説明】
【００３９】
１    商品陳列棚
２    架台
２ａ  切込溝
３    支柱
４    横連結杆
５    係止孔
６    棚板ブラケット
７    棚板
８    箱体
９    下部空間
１０  ストッカー
１１  手掛け部
１２  前面板
１３  側面板
１３ａ  前端面
１４  後面板
１５  底板
１５ａ  前端縁
１５ｂ  側縁
１５ｃ  後縁
１６  キャスター
１７  固定板
１８  突当て面
１９  ねじ孔
２０  抜き孔
２１  挿入片
２２  挿入片
２３  長孔
２４  当板
２５  外縁
２５ａ  端縁
２６  挿入溝
２７  前部強度部材
２８  後部強度部材
２８ａ  後端縁
２９  当板
３０  外縁
３０ａ  端縁
３１  挿入溝
３２  ビス
３３  コーナー部材
３４Ａ  突起
３４Ｂ  突起
３４Ｃ  突起
３５  係止爪
３６  係止爪
３７  転動ローラ
３８  回転軸
３９  軸支部材
３９ａ  後端
３９ｂ  前端
４０  切起部
４１  ボルト
【図１】
2010075414.tif 000003
【図２】
2010075414.tif 000004
【図３】
2010075414.tif 000005
【図４】
2010075414.tif 000006
【図５】
2010075414.tif 000007
【図６】
2010075414.tif 000008
【図７】
2010075414.tif 000009
【図８】
2010075414.tif 000010
【図９】
2010075414.tif 000011
【図１０】
2010075414.tif 000012
【図１１】
2010075414.tif 000013
【図１２】
2010075414.tif 000014